(57)【要約】      （修正有）【課題】倉庫保管用のみならず、物品を収納したまま、段積みしてトラック輸送できるパレットサポートセットを提供する。【解決手段】ビーム２１を格子状に交差させ、四方周囲を枠部材２２，２５で囲って矩形盤状にしたパレット用受台２の四方角部に、支柱３を立設する一方、棒状主部４１の両端から棒状副部４５を突出させて、平面視コ字形にした枠フレーム４に係るコ字形角部４ａ及びコ字形開口端４ｂの部位を、各支柱３の上端３２に一体結合させたパレットサポートであって、対向する一対の枠部材２２に、横断面視「へ」字状に下面側を開口２３０にする横断面Ｌ形部材２３を配設すると共に、両横断面Ｌ形部材２３，２３に挟まれた区間で、これらと平行配設されるビーム２１の二つを筒形ビーム２１１に形成して、受台２の側面２ｃに筒形ビーム２１１が形成するフォークリフト爪の挿入用筒口２１１ｄを有し、さらに棒状副部４５を横断面視「へ」字状の山形形状に設けるパレットサポート１を、複数備える。【選択図】図２
0003156559.tif 000002
【実用新案登録請求の範囲】
【請求項１】
ビーム(21)を格子状に交差させ、四方周囲を枠部材(22,25)で囲って矩形盤状にしたパレット用受台(2)の四方角部に、支柱(3)を立設する一方、棒状主部(41)の両端から棒状副部(45)を突出させて、平面視コ字形にした枠フレーム(4)に係るコ字形角部(4a)及びコ字形開口端(4b)の部位を、前記各支柱(3)の上端(32)に一体結合させた金属製パレットサポートであって、
対向する一対の前記枠部材(22)に、横断面視「へ」字状に下面側を開口(230)にする横断面Ｌ形部材(23)を配設すると共に、両横断面Ｌ形部材(23,23)に挟まれた区間で、これらと平行配設される前記ビーム(21)の二つを筒形ビーム(211)に形成して、前記受台(2)の側面(2c)に該筒形ビーム(211)が形成するフォークリフト爪(9)の挿入用筒口(211d)を有し、さらに、前記棒状副部(45)を横断面視「へ」字状の山形形状に設けるパレットサポート(1)を、複数備えて、
一のパレットサポート(1A)に係る前記両棒状副部(45)上に、他の上段側パレットサポート(1B)に係る前記横断面Ｌ形部材(23)をそれぞれ被着して、上段側パレットサポート(1B)を積み上げられるようにしたことを特徴とするパレットサポートセット。
【請求項２】
前記筒形ビーム(211)は上壁(211a)と両側壁(211b)と底壁(211c)からなる扁平四角筒体にして上下方向幅よりも水平方向幅が広い筒口(211d)を有し、且つ筒形ビーム(211)に係る底壁(211c)の下面を枠部材(25)の下面と面一に設けると共に、筒形ビーム(211)に係る上壁(211a)の上面を枠部材(25)の上面と面一に設ける請求項１記載のパレットサポートセット。
【請求項３】
前記横断面Ｌ形部材(23)及び前記棒状副部(45)がＬ形鋼からなる請求項１又は２に記載のパレットサポートセット。
【請求項４】
ビーム(21)を格子状に交差させ、四方周囲を枠部材(22,25)で囲って矩形盤状にしたパレット用受台であって、
対向する一対の前記枠部材(25)に、横断面視「へ」字状に下面側を開口(230)にする横断面Ｌ形部材(23)を配設すると共に、両横断面Ｌ形部材(23,23)に挟まれた区間で、これらと平行配設される前記ビーム(21)の二つを筒形ビーム(211)に形成して、前記受台(2)の側面(2c)に該筒形ビーム(21)が形成するフォークリフト爪(9)の挿入用筒口(211d)を有するパレット用受台(2)を、さらに備える請求項１乃至３のいずれか１項に記載のパレットサポートセット。
【考案の詳細な説明】
【技術分野】
【０００１】
本考案は、パレット間に物品の収容空間を形成して、上下に積重ね可能にするパレットサポートセットに関する。
【背景技術】
【０００２】
例えば、図７のごとくパレットサポートｅ,ｆの段積みを可能にしてパレット間に物品の収納空間を形成し、各種物品の保管に供するパレットサポートがある。
そして、より多くのパレットサポートをトラック等に積み込むことができ、輸送費用を安くするパレットサポート枠装置も提案されている（例えば特許文献１）。
【先行技術文献】
【特許文献】
【０００３】
【特許文献１】特開２００６−１８２４５２号公報
【考案の開示】
【考案が解決しようとする課題】
【０００４】
しかし、特許文献１のパレットサポート枠装置（本発明でいうパレットサポート）は、その構成から、段落００１９に記載のごとく「多くのパレットサポート枠１をトラック等にコンパクトに積み込むことができ、運送費用が安上がりになる。」が、物品が存在しない空状態におけるパレットサポート枠の輸送に限られていた。
パレットサポートは、空状態の輸送だけでなく、ときにはパレットサポートに物品を収納した状態のままトラック輸送したい場合もある。目的地へそのまま搬送することで、物品の出し入れ（積み替え）がなくなり作業効率が上がるからである。斯かる場合、特許文献１のパレットサポート枠では対応困難であった。パレットに設けたフォークリフト爪の挿入口へ爪を入れてパレットを持ち上げても、パレットサポート枠が取り残された。またフォークリフト爪をパレットサポート枠に差し入れて、パレットと一緒に持ち上げることはできなかった。さらに、特許文献１や図７の突起ｇが、倉庫保管等の静置用段積みに機能発揮しても、パレットサポートｅにパレットサポートｆを積み上げた状態にして、走行振動が伴うトラック輸送になると、対策不十分であった。
【０００５】
本考案は上記問題点を解決するもので、倉庫保管用としてだけでなく、パレットサポートに物品を収納したまま、段積みしてトラック輸送できるパレットサポートセットを提供することを目的とする。
【課題を解決するための手段】
【０００６】
上記目的を達成すべく、請求項１に記載の考案の要旨は、ビーム(21)を格子状に交差させ、四方周囲を枠部材(22,25)で囲って矩形盤状にしたパレット用受台(2)の四方角部に、支柱(3)を立設する一方、棒状主部(41)の両端から棒状副部(45)を突出させて、平面視コ字形にした枠フレーム(4)に係るコ字形角部(4a)及びコ字形開口端(4b)の部位を、前記各支柱(3)の上端(32)に一体結合させた金属製パレットサポートであって、対向する一対の前記枠部材(22)に、横断面視「へ」字状に下面側を開口(230)にする横断面Ｌ形部材(23)を配設すると共に、両横断面Ｌ形部材(23,23)に挟まれた区間で、これらと平行配設される前記ビーム(21)の二つを筒形ビーム(211)に形成して、前記受台(2)の側面(2c)に該筒形ビーム(211)が形成するフォークリフト爪(9)の挿入用筒口(211d)を有し、さらに、前記棒状副部(45)を横断面視「へ」字状の山形形状に設けるパレットサポート(1)を、複数備えて、
一のパレットサポート(1A)に係る前記両棒状副部(45)上に、他の上段側パレットサポート(1B)に係る前記横断面Ｌ形部材(23)をそれぞれ被着して、上段側パレットサポート(1B)を積み上げられるようにしたことを特徴とするパレットサポートセットにある。
請求項２の考案たるパレットサポートセットは、請求項１で、筒形ビーム(211)は上壁(211a)と両側壁(211b)と底壁(211c)からなる扁平四角筒体にして上下方向幅よりも水平方向幅が広い筒口(211d)を有し、且つ筒形ビーム(211)に係る底壁(211c)の下面を枠部材(25)の下面と面一に設けると共に、筒形ビーム(211)に係る上壁(211a)の上面を枠部材(25)の上面と面一に設けることを特徴とする。
請求項３の考案たるパレットサポートセットは、請求項１又は２で、横断面Ｌ形部材(23)及び前記棒状副部(45)がＬ形鋼からなることを特徴とする。
請求項４の考案たるパレットサポートセットは、請求項１〜３で、ビーム(21)を格子状に交差させ、四方周囲を枠部材(22,25)で囲って矩形盤状にしたパレット用受台であって、対向する一対の前記枠部材(25)に、横断面視「へ」字状に下面側を開口(230)にする横断面Ｌ形部材(23)を配設すると共に、両横断面Ｌ形部材(23,23)に挟まれた区間で、これらと平行配設される前記ビーム(21)の二つを筒形ビーム(211)に形成して、前記受台(2)の側面(2c)に該筒形ビーム(21)が形成するフォークリフト爪(9)の挿入用筒口(211d)を有するパレット用受台(2)を、さらに備えることを特徴とする。
【考案の効果】
【０００７】
本考案のパレットサポートセットは、単に倉庫保管用として使用できるにとどまらず、各パレットサポートに物品を収納した状態で、且つそのパレットサポートに別のパレットサポートを積み上げてトラック輸送でき、物品の出し入れ作業を行わずして、パレットサポートと一体に物品の地理的移動が可能になるなど優れた効果を発揮する。
【図面の簡単な説明】
【０００８】
【図１】本考案のパレットサポートセットのうち、一のパレットサポートの概略斜視図である。
【図２】図１のパレットサポートを二つ積み上げた状態の斜視図である。
【図３】図２の部分正面図である。
【図４】図３の部分拡大図である。
【図５】図１のパレットサポートとは異なるパレット用受台の斜視図である。
【図６】二つ並べた図１のパレットサポートに、図５のパレット用受台を積み上げた状態の斜視図である。
【図７】従来技術の説明斜視図である。
【図８】パレットサポートの参考斜視図である。
【考案を実施するための形態】
【０００９】
以下、本考案に係るパレットサポートセットについて詳述する。
（１）実施形態１
図１〜図４は本考案のパレットサポートセットの一形態で、図１はパレットサポートセットを構成する一のパレットサポートの概略斜視図、図２は図１のパレットサポートに同じものを積み上げた状態の斜視図、図３は図２の部分正面図、図４は図３の要部拡大図を示す。尚、図３は図面を判り易くするため、後方側支柱及び枠フレームに係る棒状主部の図示を省略する。
【００１０】
パレットサポートセットは複数のパレットサポート１を備える。そのパレットサポート１は、パレット用受台２（以下、単に「受台」という。）と、支柱３と枠フレーム４を備える金属製品である。
【００１１】
受台２はビーム２１を格子状に交差させ、四方周囲を枠部材２２,２５で囲って矩形盤状にした金属製盤状体である(図１)。受台２には対向する枠部材２２,２５がそれぞれ一対ずつ存在するが、その一の対向する一対の枠部材２２に横断面Ｌ形部材２３を採用する。横断面Ｌ形部材２３は横断面視「へ」字状に下面側が開口２３０するよう配設される。本発明における「下面側」とは、受台２に物品７を載せることのできる状態にパレットサポート１が置かれた図３で、紙面の下方に位置する面の側をいう。本実施形態は、横断面Ｌ形部材２３上に側面視冂形の補助部材２４を載せ溶接一体化して枠部材２２を形成する。他の対向する一対の枠部材２５は角筒を用いる。縦ビーム２１ａと横ビーム２１ｂとを互いに格子状に交差させ、周囲をこれら枠部材２２,２５で囲むようにして格子枠組みし、平面視ほぼ正方形の盤状受台２にする。ここでは、縦ビーム２１ａと横ビーム２１ｂとで井桁形の格子状にする。
【００１２】
そして、両横断面Ｌ形部材２３に挟まれた区間で、これらと平行配設される前記ビーム２１(縦ビーム２１ａ)の二つを筒形ビーム２１１に形成する。前記受台２の盤状側面２ｃには該筒形ビーム２１１が形成するフォークリフト爪９の挿入用筒口２１１ｄが設けられる。筒形ビーム２１１は、角筒からなる他の両側枠部材２５を横切って、受台２の盤状側面２ｃに筒口２１１ｄの顔を覗かせる(図１〜図３)。筒形ビーム２１１は図３のごとく上壁２１１ａと両側壁２１１ｂと底壁２１１ｃからなる扁平四角筒体で、筒口２１１ｄを扁平にして上下方向幅よりも水平方向幅が広い筒口２１１ｄを有して、フォークリフトの爪９を入り易くしている。筒形ビーム２１１は、底壁２１１ｃの下面を受台２の下面２ｂ、具体的には枠部材２５の下面と面一に設ける。さらに、筒形ビーム２１１は、上壁２１１ａの上面を受台２の上面２ａ、具体的には枠部材２２,２５の上面及び横ビーム２１ｂの上面と面一に設ける。フォークリフト爪９の挿入用筒口２１１ｄを設けながらも、筒形ビーム２１１の上面を、受台２の上面２ａを構成する枠部材２２,２５及び横ビーム２１ｂと面一にして、物品７の積載量を増やし且つパレットサポート１の全体高さを低く抑える。受台２は通常、地面,床面やトラックの荷台８上に、支柱主部３０が在る側の上面２ａをほぼ水平にして置かれる(図３)。
ここで、本考案の説明では、特に限定する場合を除き、図３の状態を正規状態とし、同図の紙面水平横方向を水平方向又は横方向、紙面手前から紙面奥へ紙面と直交する方向を水平方向又は縦方向、紙面手前側を前方側、紙面奥側を後方側、紙面上方を上方、紙面下方を下方とする。図１で、符号２８、符号２９は受台２と支柱３との一体強化を図る当て板、符号２６は両補助部材２４上に横設固着する四角柱状ストッパを示す。受台２の両側には、補助部材２４の長手方向にストッパ２６が複数配設される。受台２の上面２ａ両側で、補助部材２４の長手方向に沿って配設された両ストッパ２６,２６間には、図３のごとくパレット６を載置できる横幅寸法が確保される。ストッパ２６は受台２に載るパレット６の横ズレを防止する。図示を省略するが、受台２の上面２ａには滑り止め用のゴム張りが適宜施される。
【００１３】
支柱３は矩形盤状にした受台２の四方角部に立設する金属製棒状部材である(図１〜図３)。ここでは四角筒柱からなる支柱３が、平面視ほぼ正方形した盤状受台２に係る四箇所ある角部の側面２ｃに当接させて起立する。これら４本の支柱３が角部となってできる四角形は受台２に載せるパレット６の平面視四角形よりも一回り大きくなっている。支柱下端３１と盤状受台２の側面２ｃをつなぐ当て板２８が溶接固着され、両者の一体化を図る。前方側の支柱本体３０の上端３２には、受板片３３がその板面を水平になるようにして固着される。「前方側の支柱本体３０」とは、図３に示す二本の支柱３に係る支柱本体３０をいう。図１では、紙面右下手前側で、フォークリフト爪９が挿入される筒口２１１ｄのある枠部材２５側であって、枠部材２２の前方端部に接する二本の支柱本体３０をいう。本実施形態は、受台２からこれに立設する前方側支柱上端３２たる受板片３３までの高さが、受台２からこれに立設する後方側支柱上端３２よりも、四角筒からなる棒状主部４１(後述)の筒断面幅分だけ高く設定される。後方側支柱上端３２及び前方側支柱上端３２たる受板片３３には、平面視コ字形にした枠フレーム４に係るコ字形角部４ａ及びコ字形開口端４ｂの部位が一体結合される。
【００１４】
枠フレーム４は、棒状主部４１の両端から棒状副部４５を突出させて、平面視コ字形にした金属製枠体である。四角筒からなる棒状主部４１の両端部に、棒状副部４５の基端部をそれぞれ載せて溶接一体化する。平面視コ字形にした枠フレーム４に係るコ字形角部４ａの部位が後方側支柱上端３２に一体結合され、枠フレーム４に係るコ字形開口端４ｂの部位が前記受板片３３に一体結合される。図１のごとく棒状主部４１の両端部が、後方側支柱上端３２にそれぞれ載って溶接結合され、基端部を棒状主部４１の上に載せた棒状副部４５の先端部が、前方側支柱上端３２たる受板片３３にそれぞれ載って溶接結合される。前方側支柱上端３２の地点が、後方側支柱上端３２の地点よりも棒状主部４１の棒状厚み分だけ高くなっており、棒状主部４１が後方側支柱上端３２に載ることで、両棒状副部４５は互いに平行にして且つ受台２の上面２ａ,下面２ｂとも平行で、水平になる。
【００１５】
前記棒状副部４５は横断面視「へ」字状の山形形状とする。棒状副部４５に係る山形形状の外側斜辺部４５ａが、図１,図４のごとく枠フレーム４の尾根部分４５ｄをつくる。棒状副部４５と横断面Ｌ形部材２３とがそれぞれ上下に位置し、平行になる。仮定であるが、横断面視「へ」字状の山形形状たる棒状副部４５が、そのまま垂直下方向に平行移動させて受台２の下面２ｂに達すると、該棒状副部４５が前記受台２に設けた横断面Ｌ形部材２３にほぼ一致する。
本実施形態は、棒状副部４５及び前記横断面Ｌ形部材２３としてＬ形鋼を用いる。断面形状が山形をしており、二辺の長さが等しい等辺山形鋼である。強度大にして、パレットサポート１の製作も容易になるからである。符号４２は止め板片を示す。止め板片４２は、棒状主部４１が在る側の棒状副部４５の基端に、棒状副部４５と直交させて、図１のように上方及び左右に張出す格好で、板面が鉛直面になって固着される。
【００１６】
かくのごとく、前記受台２の四方角部に支柱３を立設し、該支柱３の上端３２に前記枠フレーム４を一体結合させてなるパレットサポート１を、複数(ここでは二つ)備える。そして、一のパレットサポート１Ａに係る前記両棒状副部４５上に、他の上段側パレットサポート１Ｂに係る両枠部材２２をそれぞれ被着して、上段側パレットサポート１Ｂを積み上げられるよう構成する(図２,図３)。詳しくは、受台２の四隅に支柱３を立設して、該支柱３に枠フレーム４を一体化した一のパレットサポート１Ａが、枠フレーム４に係る２本の棒状副部４５を互いに平行にし、受台２の上面２ａとも平行にして、さらに図１,図４ごとく尾根部分４５ｄを上にして水平配設される。既述のごとく、仮に二つの棒状副部４５が鉛直下方向へそれぞれ平行移動して受台２の下面２ｂに達すれば、該棒状副部４５が前記受台２に設けた横断面Ｌ形部材２３にほぼ一致するようになっている。したがって、他のパレットサポート１Ｂに係る両枠部材２２たる横断面Ｌ形部材２３を、前記一のパレットサポート１Ａの棒状副部４５にそれぞれ被着することによって、図２,図３のごとく、一のパレットサポート１Ａに、他のパレットサポート１Ｂが積み上げられるようになる。下のパレットサポート１Ａに段積みされた上段側パレットサポート１Ｂは、下側パレットサポート１Ａに係る棒状副部４５の斜辺部４５ａ,尾根部分４５ｄに、横断面Ｌ形部材２３の内面２３ａ,内側角部２３ｃが被着,当接し(図４)、棒状副部４５に横断面Ｌ形部材２３が面接合状態で保持される。
図中、符号２０は縦ビーム２１ａと横ビーム２１ｂでつくる格子穴、符号Ｓはパレットサポート１に囲まれた空間で、受台２上に物品７を載せて収容できるパレット収容空間を示す。
【００１７】
（２）実施形態２
本実施形態は、実施形態１におけるパレットサポート１を複数(ここでは二つ)備えるにとどまらず、さらに図５のような受台２を備えるパレットサポートセットとする。図５はパレット用受台２の斜視図、図６は図１の二つのパレットサポート１に、図５のパレット用受台２を積み上げた状態の斜視図を示す。斯かる受台２が加わることによって、パレットサポートセットで例えば図６のような物品７の収納形態を組立てできる。
【００１８】
受台２はビーム２１を格子状に交差させ、四方周囲を枠部材２２,２５で囲って矩形盤状にしたものである。本受台２の基本的構成は、実施形態１のパレットサポート１の構成から支柱３と枠フレーム４とを取り除いた方形盤体である(図５)。対向する一対の前記枠部材２２には、横断面視「へ」字状に下面側を開口２３０にする横断面Ｌ形部材２３が配設される。さらに、両横断面Ｌ形部材２３,２３に挟まれた区間で、これらと平行配設される前記ビーム２１の二つを筒形ビーム２１１に形成して、前記盤状受台２の側面２ｃに該筒形ビーム２１１が形成するフォークリフト爪９の挿入用筒口２１１ｄが設けられる。
【００１９】
ここでの受台２は、図１〜図４の受台２と違ってストッパ２６がない。また、支柱３を設けないため、当て板２８は平面視Ｌ字状の板片にして、図５のごとく受台２の角部にて、筒口２１１ｄがある方の枠部材２５と横断面Ｌ形部材２３がある枠部材２２とを連結固定する。他の構成は前記パレットサポート１を構成する受台２と同様で、その説明を省く。パレットサポート１で用いた符号と同一符号は同一又は相当部分を示す。
斯かる受台２は例えば図６のように使用する。二つのパレットサポート１を横並びに配し、両者を受台２の横幅分だけ離す。そして、受台２に設けられた横断面Ｌ形部材２３を両パレットサポート１に係る枠フレーム４の棒状副部４５にそれぞれ上方から被着し、受台２が図６のごとく二つのパレットサポート１,１をつなぐように載置される。該受台２に、例えば長尺物品７を載せてトラック輸送する場合等に使用される。
【００２０】
（３）効果
このように構成したパレットサポートセットは、対向する一対の前記枠部材２２に、横断面視「へ」字状に下面側を開口２３０にする横断面Ｌ形部材２３を配設すると共に、棒状副部４５を横断面視「へ」字状の山形形状に設けるので、一のパレットサポート１Ａに係る棒状副部４５上に、他の上段側パレットサポート１Ｂに係る枠部材２２をそれぞれ被着できる。山形形状の棒状副部４５に横断面Ｌ形部材２３を被着すれば、両者の嵌合によって、トラック輸送の走行振動でも横ズレが起き難くなる。上段側パレットサポート１Ｂを積み上げた際、下側パレットサポート１Ａに係る棒状副部４５の斜辺部４５ａ,尾根部分４５ｄに、上段側パレットサポート１Ｂに係る横断面Ｌ形部材２３の内面２３ａ,内側角部２３ｃが当接し、両パレットサポート１の一体化が強化される。下側パレットサポート１Ａで、山形形状とした棒状副部４５の長手方向ほぼ全域に亘って、上段側パレットサポート１Ｂの横断面Ｌ形部材２３が面接合状態で保持されるので、走行振動が伴うトラック輸送も可能になる。上段側パレットサポートｆが、図７や特許文献１の局所的な点接触たる突起ｇによって下側パレットサポートｅに係止されるのと大きく異なる。下側パレットサポート１Ａの二本の山形形状とした棒状副部４５の長手方向ほぼ全域で、上段側パレットサポート１Ｂの二本の横断面Ｌ形部材２３がそれぞれ面接合状態で係止,保持されるので、図７や特許文献１の突起ｇとは比べものにならないほど、上段側パレットサポート１Ｂが下側パレットサポート１Ａに安定保持される。棒状副部４５の長手方向への上段側パレットサポート１Ｂの動きは、止め板片４２によって阻止される。実際には、トラック荷台８に荷積みされた上段側パレットサポート１Ｂに対するロープ等の結束も加わるため、上段側パレットサポート１Ｂは下側パレットサポート１Ａに一層確実に係止,保持されることとなり、トラック輸送が安全に遂行される。トラック輸送は、積載輸送時の高さ制限から、パレットサポート１は二段積みでの輸送となるが、斯かる二段積み構成での安全輸送が十分確保される。
【００２１】
そして、受台２に係る両横断面Ｌ形部材２３に挟まれた区間に、これらと平行配設されるビーム２１の二つを筒形ビーム２１１に形成して、盤状受台２の側面２ｃに筒形ビーム２１１が形成するフォークリフト爪９の挿入用筒口２１１ｄを設ける。したがって、挿入用筒口２１１ｄにフォークリフト爪９を突っ込んで、パレットサポート１と一緒に、受台２に載せた物品７を簡単に持ち上げることができる。パレットサポート１に物品７を載せて倉庫保管用として使用していたものを、パレットサポート１に物品７を収納したまま、フォークリフト等を使ってトラック荷台８に載せることができる。本パレットサポートセットは、単に倉庫保管用として使用できるにとどまらず、各パレットサポート１に物品７を収納した状態で、パレットサポート１と一体に物品７を移動できる。しかも既述のごとくそのパレットサポート１に別のパレットサポート１を積み上げてトラック荷台８に載せて搬送できるので、物品７の出し入れ作業を行わずして地理的移動を円滑になし得る極めて優れた効果を発揮する。
【００２２】
さらに、図１のごとく、筒形ビーム２１１は上壁２１１ａと両側壁２１１ｂと底壁２１１ｃからなる扁平四角筒体にして、上下方向幅よりも水平方向幅が広い筒口２１１ｄを有する。且つ筒形ビーム２１１に係る底壁２１１ｃの下面を枠部材２２,２５の下面と面一に設けると共に、筒形ビーム２１１に係る上壁２１１ａの上面を枠部材２２,２５の上面と面一に設ける。かくのごとく、盤状受台２の盤高さを目一杯有効活用して、受台２にフォークリフト爪９の挿入用筒口２１１ｄが設けられるので、パレットサポート１が高くなることがない。
本パレットサポート１に代えて、例えば図８のような段積み可能なパレットサポートｐｓも考えられる。図８は受台ｍの下にフォークリフト爪９（図１参照）を潜らせて、フォークリフトで受台ｍ,パレットサポートｐｓを持ち上げられるようにしたものである。しかし、受台ｍの下にフォークリフト爪９を潜らせるために、ゲタ部ｋを形成しなければならず、その分、パレットサポートｐｓが高くなり、トラック輸送での高さ制限を受けることとなる。結局、パレットサポートｐｓの支柱ｉの高さを低くし、物品７の積載容量を小さくしなければならない。一方、本パレットサポート１は、もともと存在する受台２の盤厚みを有効活用し、ここにフォークリフト爪９の挿入用筒口２１１ｄを組込むので、支柱３の高さを十分とって、所望の物品積載容量が確保できる優れものになっている。
さらにいえば、横断面Ｌ形部材２３及び棒状副部４５がＬ形鋼からなるので、これら部材の機械的強度が高まり、且つパレットサポート１の作製も容易になる。
【００２３】
加えて、図５のごとく、ビーム２１を格子状に交差させ、周囲を枠部材２２,２５で囲って矩形盤状にした受台２にし、且つ対向する一対の枠部材２２に、横断面視「へ」字状に下面側を開口２３０にする横断面Ｌ形部材２３を配設すると共に、両横断面Ｌ形部材２３に挟まれた区間に、これらと平行配設されるビーム２１の二つを筒形ビーム２１１に形成して、盤状受台２の側面２ｃに筒形ビーム２１１が形成するフォークリフト爪９の挿入用筒口２１１ｄを有する受台２を、さらに備えると、パレットサポート１に収納される物品収納形態のバリエーションが広がる。長尺物品７をトラック輸送する時、例えばパレットサポート１を図６のような姿態にして、長尺物品７を受台２に載せて搬送した方が得策なケースがある。こうした場合、パレットサポート１に、図５の受台２が加わったパレットサポートセットとすることによって円滑対応できる。
このように、本考案に係るパレットサポートセットは、上述のごとく数々の優れた効果を発揮し、極めて有益である。
【００２４】
尚、本考案においては前記実施形態に示すものに限られず、目的,用途に応じて本考案の範囲で種々変更できる。パレットサポート１,受台２,支柱３,枠フレーム４等の形状,大きさ,個数,材質等は用途に合わせて適宜選択できる。
【符号の説明】
【００２５】
１            パレットサポート
１Ａ          一のパレットサポート（下側パレットサポート）
１Ｂ          他のパレットサポート（上段側パレットサポート）
２            受台（パレット用受台，盤状受台）
２ｃ          側面
２１          ビーム
２１１        筒形ビーム
２１１ａ      上壁
２１１ｂ      側壁
２１１ｃ      底壁
２１１ｄ      筒口
２２，２５    枠部材
２３          横断面Ｌ形部材
２３０        開口
３            支柱
４            枠フレーム
４ａ          コ字形角部
４ｂ          コ字形開口端
４１          棒状主部
４５          棒状副部
６            パレット
９            フォークリフト爪（爪）
【図１】
0003156559.tif 000003
【図２】
0003156559.tif 000004
【図３】
0003156559.tif 000005
【図４】
0003156559.tif 000006
【図５】
0003156559.tif 000007
【図６】
0003156559.tif 000008
【図７】
0003156559.tif 000009
【図８】
0003156559.tif 000010